(57)【要約】【課題】  処理槽に設けられた排水濾過網の下方で目詰まりが発生することを防止し、分解水が排水濾過網を通過して円滑に排水される生ごみ処理機を提供する。【解決手段】  生ごみを処理水４とともに攪拌して微生物により分解させる処理糟２と、該処理槽２内に収容された処理水４が流出する開口部１５に取り付けられた排水濾過網１４とを備えた生ごみ処理機１において、前記排水濾過網１３，１４の流出側から前記排水濾過網１３，１４に付着した生ごみに向かって噴射するシャワーノズル２６，３０を設け、該シャワーノズル２６，３０の噴射範囲の中心を前記排水濾過網１３，１４の中央より下方に配置した。【選択図】図１
2006212600.tif 000002
【特許請求の範囲】
【請求項１】
生ごみを処理水とともに攪拌して微生物により分解させる処理糟と、該処理槽内に収容された処理水が流出する開口部に取り付けられた排水濾過網とを備えた生ごみ処理機において、前記排水濾過網の通過側から前記排水濾過網に付着した生ごみに向かって噴射するシャワーノズルを設け、該シャワーノズルの噴射範囲の中心を前記排水濾過網の中央より下方に配置したことを特徴とする、生ごみ処理機。
【請求項２】
前記排水濾過網は、前記処理槽に形成されたオーバーフロー開口に取り付けられていることを特徴とする、請求項１記載の生ごみ処理機。
【請求項３】
前記排水濾過網は、前記処理槽に形成された排水口に取り付けられていることを特徴とする、請求項１記載の生ごみ処理機。
【発明の詳細な説明】
【技術分野】
【０００１】
本発明は、生ごみ処理機、特に業務用の生ごみ処理機に関する。
【背景技術】
【０００２】
例えば、特許文献１には、バイオポンプを用いて基材容器から基材を有機物分解処理槽内に添加し、基材と有機廃棄物を一緒に攪拌することにより水中で有機廃棄物を分解する湿式の生ごみ処理機が開示されている。
【特許文献１】特開２００２−３３６８３０号公報
【０００３】
この種の生ごみ処理機には、分解水をオーバーフローさせるオーバーフロー開口に排水濾過網が取り付けられ、生ごみが処理水とともに流出しないようにしている。
【０００４】
しかしながら、異物で排水濾過網の目詰まりが発生し、分解水の排水を円滑に行うことができない事態が生じている。
【０００５】
また、この種の生ごみ処理機は、定期的（１年に１回程度）に分解不可能な金属物（スプーンなど）や樹脂製品（ストローなど）などの異物を取り除く際、５〜６年に１回程度処理剤である微生物を担持させた基材を交換する際、および、装置自体が故障した際に、処理槽内の排出物である処理水を全て排水し、下部に設けた点検口から内部に人が侵入して点検したり、点検口から基材を排出したりする必要がある。
【０００６】
しかしながら、処理槽の下部に設けた排水口にも、排水濾過網が取り付けられており、その排水濾過網に生ごみが付着して処理水を排水できないことがある。この場合、前記点検口を開放すると、処理槽内に残った大量の処理水、基材および生ごみが点検口から流出するという問題がある。
【発明の開示】
【発明が解決しようとする課題】
【０００７】
本発明は、前記のような問題点を鑑みて、処理槽に設けられた排水濾過網の目詰まりが発生することを防止し、分解水が排水濾過網を通過して円滑に排水される生ごみ処理機を提供することを課題とする。
【課題を解決するための手段】
【０００８】
生ごみを処理水とともに攪拌して微生物により分解させる処理糟と、該処理槽内に収容された処理水が流出する開口部に取り付けられた排水濾過網とを備えた生ごみ処理機において、前記排水濾過網の流出側から前記排水濾過網に付着した生ごみに向かって噴射するシャワーノズルを設け、該シャワーノズルの噴射範囲の中心を前記排水濾過網の中央より下方に配置したものである。
【０００９】
前記排水濾過網は、前記処理槽に形成されたオーバーフロー開口に取り付けられていることが好ましい。
【００１０】
前記排水濾過網は、前記処理槽に形成された排水口に取り付けられていることが好ましい。
【００１１】
このように構成すれば、排水濾過網の下方に処理水を十分に噴射して、排水濾過網の下方に付着する生ごみを確実に除去することができる。
【発明の効果】
【００１２】
前記手段によれば、排水濾過網の下方に目詰まりが発生するのを防止して分解水の排水が円滑に行われるので、オーバーフロー水位が上昇して給水が停止することがない。また、処理水の排水も円滑に行われるので、定期的な異物除去作業時、処理剤の交換時、および、装置が故障した時に、処理槽内の処理剤および生ごみが点検口から流出することを確実に防止できる。
【発明を実施するための最良の形態】
【００１３】
以下、本発明の実施の形態を添付の図面にしたがって説明する。
【００１４】
図１は、本発明の実施形態に係る生ごみ処理機１を示す。処理糟２は、周壁２ａ、底壁２ｂ及び上壁２ｃを有する円筒形状で、図示しないが適宜の断熱構造を有している。処理糟２の内部には、微生物（バイオ菌）が着床する多孔質の発泡樹脂製の多数の基材３と、処理水４が収容されている。
【００１５】
処理糟２の内部中央には、スクリュ形の攪拌翼５を有する攪拌軸６が垂直に収容されている。攪拌軸６の上端は、処理糟２の上壁２ｃの内面に回転自在に支持され、下端は、処理糟２の底壁２ｂに設けた軸受７により回転自在に支持されている。攪拌軸６の上端はさらに、処理糟２の上壁２ｃを貫通し、外側のカバー８内に設けられた攪拌モータ９に図示しないカップリングを介して連結されている。この攪拌モータ９の駆動により、攪拌軸６は正逆転可能になっている。
【００１６】
処理糟２の周壁２ａの上部には、処理水４の給水口１０が配設されている。給水口１０は、処理水４のオーバーフロー水位より５０ｍｍ程度上方が好ましい。また、処理糟２の周壁２ａの上部には、オーバーフロー開口１１が形成され、処理糟２の周壁２ａの下部には、排水口１２が形成されている。オーバーフロー開口１１には、第１排水濾過網１３が取り付けられ、排水口１２には、第２排水濾過網１４が取り付けられ、処理中の生ごみが排出されるのを防止している。第１、第２排水濾過網１３，１４の網目は、本実施形態では、φ２のパンチング穴が無数配設されている。さらに、処理糟２内には、第１排水濾過網１３が詰まってオーバーフロー水位より上昇すると、これを検知して給水を停止するためのオーバーフロースイッチ１５が設けられている。
【００１７】
処理槽２の上壁２ｃの外周寄りには、図２に示すように生ごみを投入する投入口１６と、図１に示すようにバイオタンク１７が収容されたケーシング１８が設けられている。投入口１６は、蓋１９によって開閉可能であり、蓋１９には、透明な覗き窓２０が設けられている。バイオタンク１７には、微生物を含む液体からなる基材（液体バイオ）２１が収容され、該基材２１は、前記カバー８内に設けられたバイオポンプ２２によって処理槽２内に注入されるようになっている。
【００１８】
処理糟２の周壁２ａの上部には、オーバーフロー糟２３が設けられ、該オーバーフロー糟２３は前記処理糟２に形成されたオーバーフロー開口１１を介して処理糟２内と連通している。また、オーバーフロー糟２３は、第１排水管２４とトラップ２５を介して図示しない浄化槽又は下水道に接続されている。さらに、オーバーフロー糟２３内には、第１シャワーノズル２６が設けられ、該第１シャワーノズル２６の噴射範囲２７の中心２８は、図３に示すように、第１排水濾過網１３の中央よりやや下方の位置に配置されている。第１シャワーノズル２６の噴射口の口径は、第１排水濾過網１３の下方に付着した生ごみを確実に除去して排水が円滑に行われるようにするため、φ１ｍｍ程度に形成されているのが好ましい。また、噴出圧力は、２．５ｋｇ／ｃｍ２が好ましい。
【００１９】
処理槽２の周壁２ａの下部には、排水口１２が設けられ、第２排水管３０を介して図示しない浄化槽又は下水道に接続され、該第２排水管３０には、バルブ３１が介設されている。さらに、第２排水管３０の下流側には、第２シャワーノズル３２が設けられ、該第２シャワーノズル３２の噴射範囲３３の中心３４は、図３に示すように、第２排水濾過網１４の中央よりやや下方の位置に配置されている。第２シャワーノズル３２の噴射口の口径は、第２排水濾過網１４の下方に付着した生ごみを確実に除去して排水が円滑に行われるようにするため、φ２ｍｍ程度に形成されているのが好ましい。また、噴出圧力は、前記オーバーフローの場合より高い噴射圧力約３ｋｇ／ｃｍ２が好ましい。
【００２０】
処理糟２の周壁２ａの下部には、図２に示すように、内部の清掃のために人が進入可能な点検口３５が設けられ、該点検口３５は扉３６によって開閉可能になっている。
【００２１】
処理糟２の上方には、処理水４を貯留するタンクであるシスターン３７が設けられている。シスターン３７は、入口３８、出口３９、オーバーフロー管４０を備える。シスターン３７は、断熱構造を有する材料で構成されている。シスターン３７の入口３８の内側には、浮玉４１ａの上下動によって給水の開始と停止を行うボールタップ４１が設けられている。また、シスターン３７の入口３８の外側は図示しない止水弁を介して上水道又は受水槽に接続されている。シスターン３７の出口３９は、ストレーナ４２、第１電磁弁４３を有する給水管４４に接続され、該給水管４４は前記処理糟２の給水口１０に接続されている。給水管４４のストレーナ４２と第１電磁弁４３の間には、第１シャワー給水管４５及び第２シャワー給水管４６が分岐している。第１シャワー給水管４５は、第２電磁弁４７を有し、第１シャワー用ポンプ４８を介して前記オーバーフロー糟２３の第１シャワーノズル２６に接続されている。第２シャワー給水管４６は第３電磁弁４９を有し、第２シャワー用ポンプ５０を介して第２シャワーノズル３２に接続されている。
【００２２】
前記攪拌モータ９、バイオポンプ２２、第１、第２、第３電磁弁４３，４７，４９及び第１、第２シャワー用ポンプ４８，５０は、処理糟２の横に配置された電気制御盤５１によって制御される。
【００２３】
次に、前記構成からなる生ごみ処理機の動作を説明する。
【００２４】
運転開始に先立って電気制御盤５１の時間設定器により、１サイクルの運転時間と休止時間をそれぞれ０から１５分の間で設定し、例えば運転時間１５分、休止時間５分とする。また、攪拌モータ９の正転時間（例えば３０秒）、逆転時間（例えば３０秒）、停止時間（例えば１０秒）をそれぞれ設定するとともに、バイオ添加時間（例えば６時間）を設定する。
【００２５】
処理槽２内に微生物（バイオ菌）を着床させた所定量の基材３と処理水４が収容されている状態で、投入口１６から生ごみを投入し、運転を開始する。１サイクルの間、攪拌モータ９により攪拌軸６を正転−逆転−停止させるパターンを繰り返す。攪拌軸６の回転数は正逆転とも約１４０ｒｐｍ〜２４０ｒｐｍである。処理槽２の断熱構造により、処理水４の温度は約３５℃に維持される。生ごみは、基材３と処理水４とともに攪拌翼５によって攪拌され、基材３中に着床した微生物（バイオ菌）によって水と二酸化炭素に分解される。
【００２６】
微生物による生ごみの分解作用により、処理水４中の溶存酸素が消費される。そこで、攪拌モータ９の正転時には所定時間（０〜３０秒の間で予め設定）、第１電磁弁４３を開き、シスターン３７から処理水４を処理槽２内に供給して酸素を与え、微生物による分解作用を促進する。また、攪拌モータ９の逆転時には所定時間（０〜３０秒の間で予め設定）、第２電磁弁４７を開き、第１シャワー用ポンプ３７を駆動して、シスターン２７から処理水４を第１シャワーノズル２６で第１排水濾過網１３の下方に向かって噴射して洗浄し、第１排水濾過網１３の目詰まりを防止し、分解水のオーバーフローによる排水を円滑に行わせる。オーバーフローした分解水は、第１排水管２４及びトラップ２５を通って下水として排水される。また、運転中に設定時間毎にバイオポンプ２２を駆動し、所定量（例えば２０ｃｃ）の基材（液体バイオ）２１を処理槽２内に添加し、微生物による分解作用を継続させる。
【００２７】
一方、定期的な異物除去作業時、基材３の交換時、および、装置が故障した時には、バルブ３１を開き、第２排水管３０を介して処理槽２内の全ての処理水４を排水する。また、排水時には、第３電磁弁４９を開き、第２シャワー用ポンプ５０を駆動して、シスターン３７から処理水４を第２シャワーノズル３２で第２排水濾過網１４の下方に向かって噴射して洗浄し、第２排水濾過網１４の目詰まりを防止し、処理水４の排水を円滑に行わせる。その結果、排水不良が発生している状況で扉３６を開放することにより、処理槽２内の汚い生ごみおよび基材３を含んだ処理水４が点検口３５から流出することを確実に防止できる。
【００２８】
そして、処理槽２内の処理水４が全て排水された後に、内部の修理を施すために、処理中（分解途中）の生ごみと一緒に基材３を取り出す。
【図面の簡単な説明】
【００２９】
【図１】本発明の実施形態に係る生ごみ処理機の正面断面図である。
【図２】本発明に実施形態に係る生ごみ処理機の側面断面図である。
【図３】図１の排水濾過網の形態図である。
【符号の説明】
【００３０】
１  生ごみ処理機
２  処理槽
４  処理水
１３  第１排水濾過網
１４  第２排水濾過網
２６  第１シャワーノズル
３２  第２シャワーノズル
【図１】
2006212600.tif 000003
【図２】
2006212600.tif 000004
【図３】
2006212600.tif 000005